(57)【特許請求の範囲】
【請求項１】
送信装置と受信装置とで通信を行う通信方法において、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信方法において、
前記送信装置は、繰り返し送信する前記接続信号中にその接続信号の送信回数値と前記部分識別符号とを含めて送信し、前記受信装置は、受信した接続信号内の前記送信回数値を用いて前記部分識別符号と前記受信装置の備える識別符号の一部分とが一致することを確認する通信方法。
【請求項２】
送信装置と受信装置とで通信を行う通信方法において、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信方法において、
前記送信装置は、繰り返し送信する前記接続信号中に前記部分識別符号とその抽出する部分の位置を示す位置特定符号とを含めて送信し、前記受信装置は、受信した接続信号内の前記位置特定符号を用いて前記部分識別符号と前記受信装置の備える識別符号の一部分とが一致することを確認する通信方法。
【請求項３】
前記送信装置は、前記接続信号を繰り返し送信しながら前記部分識別符号を抽出する部分を変更するときに、前記接続信号を最初から最後まで受信すると前記識別符号全体を少なくとも含むように抽出することを特徴とした請求項１または２記載の通信方法。
【請求項４】
前記送信装置は、前記接続信号を繰り返し送信しながら前記部分識別符
号を抽出する部分をランダムに変更することを特徴とした請求項１または２記載の通信方法。
【請求項５】
送信装置と受信装置とで通信を行う通信システムにおいて、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信システムにおいて、
前記送信装置は、繰り返し送信する前記接続信号中にその接続信号の送信回数値と前記部分識別符号とを含めて送信し、前記受信装置は、受信した接続信号内の前記送信回数値を用いて前記部分識別符号と前記受信装置の備える識別符号の一部分とが一致することを確認する通信システム。
【請求項６】
送信装置と受信装置とで通信を行う通信システムにおいて、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信システムにおいて、
前記送信装置は、繰り返し送信する前記接続信号中に前記部分識別符号とその抽出する部分の位置を示す位置特定符号とを含めて送信し、前記受信装置は、受信した接続信号内の前記位置特定符号を用いて前記部分識別符号と前記受信装置の備える識別符号の一部分とが一致することを確認する通信システム。
【発明の詳細な説明】
【０００１】
【発明の属する技術分野】
本発明は、送信装置と受信装置とで通信を行うときに識別符号を用いて通信相手を確認しデータ信号の送受信を行うもので識別符号を含む接続信号を送信装置から繰り返し送信する通信方法に関し、通信相手でない受信装置で識別符号が異なることを判断するまでの時間を短くするものである。
【０００２】
例えば、間欠受信待ち受け時に識別符号が異なることを判断するまでの時間を短くして受信装置の電池寿命を延ばしたり、複数の通信チャネルから一つの通信チャネルを利用して通信するときに識別符号が異なることを判断するまでの時間を短くして受信装置での通信チャネル切換えの周期を短くするものである。
【０００３】
【従来の技術】
送信装置と受信装置とで通信を行うときに識別符号を用いて通信相手を判断しデータ信号の送受信を行うもので識別符号を含む接続信号を送信装置から繰り返し送信する通信方法に関し従来例として特開平１０−１９８８８１号公報を説明する。
【０００４】
図７に通信電文フォーマットを示す。通信電文は大きく分けて次の３つから構成される。
【０００５】
１つめは標準規格で定められ必ず送信しなければならない部分で、図７中のビット同期信号５１、フレーム同期信号５２、無線機呼出名称５３がこれにあたる（但し、本発明では関係しない）。
【０００６】
２つめは本発明でいうところの接続信号の繰り返し送信部であり識別符号を含む。図７中のシステム起動信号５４がこれにあたり短縮型・呼出名称５７が本発明でいうところの部分識別符号である。この短縮型・呼出名称の他に短いビット同期信号５５とシステム識別符号５６とを合わせた１単位が接続信号にあたる。
【０００７】
３つめは本発明でいうところのデータ信号であり、図７中の相手局・限定情報（この中に相手局・無線呼出名称が含まれ短縮型・呼出名称はこの一部分である）５８、制御情報（データ）５９がこれにあたる。
【０００８】
この特開平１０−１９８８８１号公報では識別符号が１２桁でそのうちの下４桁を部分識別符号として接続信号に含め送信する。これにより識別符号が長いときに発生する以下の不都合を解決するものである。識別符号が長いと接続信号１回の送信時間が長くなり、通信相手でない受信装置で識別符号が異なることを判断するまでの時間が長くなる。また接続信号の繰り返し送信時間は受信装置が受信するのに必要な時間（この図では間欠キャリアセンス間隔）程度にして送信時間を短くすることが望ましいが、識別符号が長いと接続信号１回の送信時間が長くなり間欠キャリアセンス間隔よりも長くなることが発生しうる。
【０００９】
これらに対して接続信号に部分識別符号を用いることで識別符号が長くても受信すべきかどうかの判断時間を短縮し、接続信号の送信時間を必要以上に長くさせないことが可能である。
【００１０】
【発明が解決しようとする課題】
以上のように、送信装置は通信相手を識別する識別符号の一部分を抽出した部分識別符号を含む接続信号を受信装置が受信するのに必要な時間以上連続して繰り返し送出したのちにデータ信号を送信し、一方、受信装置は、送信装置からの接続信号を受信し、接続信号内の部分識別符号が受信装置が備える識別符号の一部分であることを確認したときにデータ信号の受信処理を行う。
【００１１】
特開平１０−１９８８８１号公報の例で言えば、接続信号内の部分識別符号でまず下４桁の確認を行い、部分識別符号が一致した場合は引き続きデータ信号内の識別符号で残りの上位８桁の確認を行って通信相手を判断する。
【００１２】
接続信号に部分識別符号を用いることで識別符号が長くても受信すべきかどうかの判断時間を短縮し、接続信号の送信時間を必要以上に長くさせないことが可能である。しかしながら、ある条件で部分識別符号の効果が発揮できないことがある。
【００１３】
識別符号の下４桁がたまたま自身の識別符号（受信装置が備える識別符号）と同じで残りの上位８桁が異なる受信装置が存在した場合を図８で説明する。この確率は、各受信装置の通信エリア内に識別符号の異なる受信装置が１００台とすると１／１００である。
【００１４】
送信装置から出力される通信電文フォーマット（１）には部分識別符号は（２）のように下位４桁が繰り返される。これを受信する受信装置は、これが自身の識別符号であれば（３）のようにデータ信号の最後まで受信し、自身のものと似た識別符号である場合には（４）のようにデータ信号の途中まで受信し識別符号１２桁を比較したところで受信中断する。すなわち、自身の識別符号に似た識別符号を持つ受信装置が存在すると受信装置は接続信号を受信した時点ではこの二つを識別できずデータ信号の途中まで受信することになる。これは接続信号の繰り返し送信時間が長いほど次のような課題が顕著になる。
【００１５】
特開平１０−１９８８８１号公報のように間欠受信待ち受けを行う場合、受信した信号が自身宛て通信でなければ受信を中断して受信回路の消費電流を抑えるよう動作する。通常、電池寿命をのばすため間欠キャリアセンスの時間間隔を長くし接続信号の繰り返し送信時間を長くする。したがって、自身の識別符号に似た識別符号が存在すると受信装置は接続信号の途中で受信中断することができず送信時間の長い接続信号を最後まで受信することになり電池寿命が縮む。
【００１６】
また多チャネル受信待ち受けを行う送信装置・受信装置で課題が生じる。多チャネル受信待ち受けとは、受信装置は複数ある通信チャネル（Ｎ個）を順次切換えて接続信号を探索して受信待ち受けを行い、接続信号内の識別符号と自身の識別符号とが一致しないときに受信を中断し通信チャネルを切換えて接続信号の探索を行うものである。送信装置から送信する通信電文フォーマットは図８と同じで、複数ある通信チャネル（Ｎ個）の中から１つの通信チャネルを選択し接続信号をＮ回以上繰り返し送出してからデータ信号を送信する。
【００１７】
このとき、自身の識別符号に似た識別符号が存在すると受信装置は接続信号の途中で受信中断することができず送信時間の長い接続信号を最後まで受信する。その結果、通信チャネルを切換えて別の接続信号の探索を行うことが遅れる。このあいだに通信すべき相手からの送信信号があればそれを受信することはできない。
【００１８】
本発明の目的は、自身の識別符号に似た識別符号が存在しても部分識別符号の効果を発揮させることである。
【００１９】
【課題を解決するための手段】
本発明は上記課題を解決するために、送信装置と受信装置とで通信を行うときに、送信装置は、通信相手を識別する識別符号の一部分を抽出した部分識別符号を含む接続信号を受信装置が受信するのに必要な時間以上連続して繰り返し送出したのちに識別符号を含むデータ信号を送信し、受信装置は、送信装置からの接続信号を受信し接続信号内の部分識別符号と受信装置の備える識別符号の一部分とが一致することを確認したときにデータ信号の受信処理を行い、送信装置は、接続信号を繰り返す毎に部分識別符号の抽出部分を変更するものである。そして、送信装置は接続信号中にその接続信号の送信回数値と部分識別符号とを含めて送信し、受信装置は接続信号内の送信回数値を用いて部分識別符号と受信装置の備える識別符号の一部分とが一致することを確認するものである。
【００２０】
上記発明によれば、接続信号を繰り返す毎に部分識別符号の抽出部分が変わるので、自身の識別符号に似た識別符号が存在しても受信装置は接続信号を繰り返し受信する途中で識別でき受信を中断することができる。そして、受信装置は送信回数値によって部分識別符号の抽出位置がわかるので接続信号の途中から受信しても確実に識別符号を比較することができる。
【００２１】
【発明の実施の形態】
本発明は各請求項記載の形態で実施することができるものである。
【００２２】
すなわち、請求項１記載の発明のように、送信装置は接続信号を繰り返す毎に部分識別符号の抽出部分を変更するものである。そして、接続信号を繰り返す毎に部分識別符号の抽出部分が変わるので、自身の識別符号に似た識別符号が存在しても受信装置は接続信号を繰り返し受信する途中で識別でき受信を中断することができる。
【００２４】
そして、送信装置は接続信号中にその接続信号の送信回数値と部分識別符号とを含めて送信し、受信装置は接続信号内の送信回数値を利用して部分識別符号と受信装置の備える識別符号の一部分とが一致することを確認するものである。そして、受信装置は送信回数値によって部分識別符号の抽出位置がわかるので接続信号の途中から受信しても確実に識別符号を比較することができる。
【００２５】
また、請求項２記載の発明のように、送信装置は接続信号に部分識別符号の抽出位置を示す位置特定符号を併せて送信し、受信装置は接続信号内の位置特定符号を利用して部分識別符号と受信装置の備える識別符号の一部分とが一致することを確認するものである。そして、受信装置は位置特定符号によって部分識別符号の抽出位置がわかるので送信装置が抽出位置を自在に変更しても受信装置は確実に識別符号を比較することができる。
【００２６】
そして、請求項３記載の発明のように、送信装置は接続信号を繰り返し送信しながら部分識別符号の抽出部分を変更するときに接続信号を最初から最後まで受信すると識別符号全体を少なくとも含むように抽出するものである。そして、繰り返し送信する接続信号を受信する途中で識別符号全体がわかるので、自身の識別符号に似た識別符号が存在しても受信装置は接続信号を繰り返し受信する途中で確実に識別でき受信を中断することができる。
【００２８】
また、請求項４記載の発明のように、送信装置は接続信号を繰り返し送信しながら部分識別符号の抽出部分をランダムに変更するものである。そして、部分識別符号の抽出部分をランダムに変更するので受信装置は接続信号を受信する途中で特定の識別符号の受信中断が常に遅れるということをなくすことができる。
【００３１】
【実施例】
以下、本発明の実施例について図面を用いて説明する。
【００３２】
（実施例1）
図１に本発明の実施例１に関わる無線送受信装置の構成を示すブロック図である。相手の無線送受信装置と通信するため、アンテナ１を介して相手の無線送受信装置からの無線信号２を受信し接続信号やデータ信号など受信電文に復調する受信手段３、その受信手段３の電源オン・オフや受信周波数などを制御する受信回路制御手段４、送信電文を変調してアンテナ１を介して相手の無線送受信装置に無線信号２を送信する送信手段５、その送信手段５の電源オン・オフや送信周波数などを制御する送信回路制御手段６、受信手段３からの受信電文を解読して受信処理するとともに送信手段５に送信電文を渡すなど通信全体を制御する例えばマイコンからなる通信制御手段７から構成される。
【００３３】
また、通信相手を識別するために各無線送受信装置にユニークな識別符号を用い、初期設定時にその無線送受信装置自身の識別符号と通信相手の識別符号とを識別符号記憶手段８に記憶する。この識別符号記憶手段８から識別符号を読み出し、送信時は送信電文中に受信者を識別する符号として通信相手の識別符号を挿入する。受信時は受信電文中の受信者識別符号が自身の識別符号と一致している電文のみを解読する。必要に応じて、さらに送信電文中に送信者を識別する符号として自身の識別符号を挿入し、受信者は受信電文中の送信者識別符号が自身の識別符号と一致していることを確認してもよい。
【００３４】
図１において、識別符号抽出手段９が送信電文中に挿入する通信相手の識別符号を抽出し、識別符号比較手段１０が受信電文中の受信者識別符号と自身の識別符号とを比較して挿入されていることを確認する。
【００３５】
図１の無線送受信装置間で通信される電文フォーマットを図２に示す。通信電文は大きく分けて次の２つから構成される。
【００３６】
１つめは接続信号の繰り返し送信部であり、１つの接続信号はビット同期信号２０、フレーム同期信号２１、制御コード２２と部分識別符号２３とからなる。受信者はビット同期信号２０を受信して送信者との同期を取り、フレーム同期信号２１を受信して制御コード２２の先頭を知る。制御コード２２には接続信号の送信回数値３０を含む。部分識別符号２３は受信者の識別符号１２桁のうちの４桁値とする。
【００３７】
２つめはデータ信号であり、制御コード２４と識別符号２５と伝送情報２６とからなる。識別信号２５を受信して通信相手を確認し伝送情報２６を受信する。制御コード２４にはこの制御コード自身がデータ信号の一部であることを示す情報を含む。識別符号２５は受信者の識別符号１２桁全てである。伝送情報２６は送信者から受信者に伝送したい情報である。
【００３８】
本実施例はここで図２中（１）や（２）のように接続信号を繰り返す毎に部分識別符号２３の抽出部分を変更する。（１）の方法１では接続信号の１回目に識別符号２４の上位４桁を、２回目に中位４桁を、３回目に下位４桁を含める。４回目からは再び、上位４桁、中位４桁、下位４桁とする。受信者は予めこの順序を、つまり接続信号の１回目に識別符号２４の上位４桁を、２回目に中位４桁を、３回目に下位４桁を含めることを知っており制御コード２２中の送信回数値３０によって受信した部分識別符号２３の抽出位置がわかる。したがって自身の識別符号に似た識別符号が存在しても受信者は接続信号を繰り返し受信する途中で識別でき受信を中断することができる。
【００３９】
これを図３で説明する。送信者から出力される通信電文フォーマット（１）には部分識別符号は（２）のように下位４桁２７、中位４桁２８、上位４桁２９が繰り返される。これを受信する受信装置は、これが自身の識別符号であれば（３）のようにデータ信号の最後まで受信する。識別符号の下４桁がたまたま自身の識別符号（受信者が備える識別符号）と同じで残りの上位８桁が異なる受信者が存在した場合（４）のように接続信号を２回受信した時点で受信中断できる。従来は図８のように自身の識別符号に似た識別符号を持つ受信装置が存在すると受信装置は接続信号だけではこの二つを識別できずデータ信号の途中まで受信していた。
【００４０】
図２では送信回数値を制御コードに含めて送信するので接続信号の途中から受信しても確実に識別符号を比較することができる。送信回数値がなければ接続信号の最初から受信することが絶対条件となる。なお、送信回数値の代わりに繰り返し送信する接続信号個々にユニークな値であれば同様の効果が得られる。
【００４１】
また、送信者は接続信号を繰り返し送信しながら部分識別符号の抽出部分を変更するときに接続信号を最初から最後まで受信すると識別符号全体を少なくとも含むように抽出する。図２では接続信号を多くとも３回受信すれば識別符号１２桁がわかる。したがって、受信者は繰り返し送信する接続信号を受信する途中で識別符号全体がわかるので、自身の識別符号に似た識別符号が存在しても受信装置は接続信号を繰り返し受信する途中で、３回で受信すれば確実に識別でき受信を中断することができる。
【００４２】
図２中（２）の方法２では接続信号の１回目に識別符号２５の下位４桁を、２回目に中位４桁を、３回目に上位４桁を含める。受信者は予め接続信号の１回目に識別符号２５の下位４桁を、２回目に中位４桁を、３回目に上位４桁を含めることを知っており制御コード２２中の送信回数値によって受信した部分識別符号２３の抽出位置がわかる。したがって自身の識別符号に似た識別符号が存在しても受信者は接続信号を繰り返し受信する途中で識別でき受信を中断することができる。
【００４３】
このように送信装置は接続信号を繰り返し送信しながら部分識別符号の抽出部分を識別符号の上位部分から下位部分へ移動させる、または下位部分から上位部分へ移動させる。これで自身の識別符号に似た識別符号が存在しても系統的に識別することができる。例えば識別符号の上位４桁がシステム分類、下位８桁が端末分類を示すとする。複数システムが多数混在する場合には（１）の方法１のように上位部分から下位部分へ移動させ、システムを識別してから端末を識別する方法が有効である。また複数端末が多数混在する場合には（２）の方法２のように下位部分から上位部分へ移動させ、端末を識別してからシステムを識別する方法が有効である。
【００４４】
複数システム・複数端末が多数混在する場合には（１）の方法１と（２）の方法２とを組み合わせる。接続信号の１〜３回目は（１）の方法１を、接続信号の４〜６回目は（２）の方法２というようにする。
【００４５】
あるいはまた、接続信号３回毎に切り替えるのが複雑であれば、データ信号を送信する度に部分識別符号の抽出部分を予め定めた順序で変更する。例えば、今回の送信は（１）の方法１で送信し、次回の送信は（２）の方法２で送信する。これで通信を行う度に部分識別符号の抽出部分の変更パターンが変わるので、受信者は接続信号を受信する途中で特定の識別符号の受信中断が常に遅れるということをなくすことができる。
【００４６】
これらにより、識別符号１２桁のうち下位４桁が異なる識別符号が存在したとき（１）の方法１では接続信号を３回受信するまで判断できないが（２）の方法２では接続信号を１回受信すると判断できる。接続信号３回毎あるいは送信毎に（１）の方法１と（２）の方法２とを切り替えるので平均して接続信号を２回受信して判断できると見積もることができる。
【００４７】
以上の部分識別符号制御は図１の通信制御手段７、識別符号抽出手段９、位置特定符号検知手段１１、部分識別符号比較手段１２で行う。送信時、識別符号抽出手段９は通信相手の識別符号から部分識別符号を抽出して送信電文に挿入する。送信回数値は通信制御手段７で計数して送信電文に部分識別符号とともに含める。一方で受信時、位置特定符号検出手段１１は受信した接続信号中の制御コードから送信回数値を判定し部分識別符号比較手段１２に出力する。この送信回数値を利用して部分識別符号比較手段１２は受信した接続信号中の部分識別符号と自身の識別符号とを比較する。
【００４８】
（実施例２）
以上の方法は送信者と受信者との双方で部分識別符号の抽出位置について予め知っていることが必要である。したがって抽出位置について複雑な変更パターンには適さない。次に送信者が抽出位置を自在に変更しても受信者が確実に識別符号を判断することができる方法を説明する。
【００４９】
図４に無線送受信装置間で通信される電文フォーマットを示す。図２と同様に通信電文は大きく分けて２つから構成される。そのうち接続信号内の制御コード２２に位置特定符号３１を含める。
【００５０】
位置特定符号３１は部分識別符号の抽出位置を示すもので、これにより部分識別符号４桁が識別符号１２桁のどの部分かを示す。図３中の（１）の方法１〜（３）の方法３では部分識別符号の１桁目が識別符号の何桁目にあたるかを位置特定符号とした。受信者は位置特定符号３１によって部分識別符号の抽出位置がわかるので送信者が抽出位置を自在に変更しても受信者は確実に識別符号を比較することができる。
【００５１】
図４では（１）の方法１や（２）の方法２のように実施例１と同様のことが可能な他、（３）の方法３のように部分識別符号をランダムに変えることが可能である。複数システム・複数端末が多数混在する場合に（１）の方法１と（２）の方法２とを組み合わせ方法があるが（３）の方法３でも同様の効果が期待できる。部分識別符号の抽出部分をランダムに変更するので受信者は接続信号を受信する途中で特定の識別符号の受信中断が常に遅れるということをなくすことができる。乱数を発生させるので、部分識別符号を上位部分から下位部分に変更させるといった変更手順をプログラムすることが不要である。
【００５２】
また図４の（４）の方法４のように、位置特定符号３１の定義を表１のように「ID1」=上位４桁、「ID2」＝中位４桁、「ID3」＝下位４桁等と定義しても同様の効果が得られる。
【００５３】
【表１】
0004207278.tif 000002
【００５４】
（実施例３）
次に図５に基づいて間欠受信待ち受けにおける通信方法を説明する。
【００５５】
受信者は、一定時間Ｔ１おきに断続して接続信号を探索して受信する間欠受信待ち受けを行い、接続信号内の部分識別符号と受信者の備える識別符号の一部分とが一致しないときに次のＴ１後まで接続信号の探索を中断し、送信者は、接続信号をＴ１時間以上繰り返し送出してからデータ信号を送信する。
【００５６】
（１）に送信者Ａの動作を、（２）、（３）に送信者Ａと通信すべき受信者Ｂの動作を、（４）、（５）に送信者Ａと通信不要な受信者Ｃの動作を示す。
【００５７】
送信者Ａから（１）のように接続信号の繰り返し部とデータ信号とからなる送信信号を送信する。
【００５８】
受信者Ｂ、Ｃは（２）、（５）の受信待ち受け周期Ｔ１時間毎に受信回路の電源をオンしてＴ２時間のあいだ接続信号を受信待ち受けする。自身宛ての信号がなければ次の待ち受け周期まで受信回路の電源をオフして受信回路の消費電流を抑えるよう動作する。したがって電池寿命をのばすため間欠周期Ｔ１を長くしＴ２を短くする。また接続信号の繰り返し送信時間をＴ１よりも長くする。
【００５９】
受信者Ｂは（３）のように接続信号を受信し識別符号の一致を確認しながらデータ信号の終了まで受信（受信完了）し受信回路の電源をオフする。
【００６０】
本発明では接続信号を繰り返す毎に部分識別符号の抽出部分を変えるので、受信者Ｃは（５ａ）のように接続信号を何回か受信する途中で識別符号の不一致を判断し受信回路の電源をオフする（受信中断）。従来は自身の識別符号に似た識別符号が存在すると（５ｂ）のようにデータ信号の途中まで識別符号の不一致を判断できず受信回路の電源をオフするタイミングが遅かった。
【００６１】
以上のように、本発明では接続信号内の部分識別符号と自身の識別符号の一部分とが似ていても一致しないことを判断する時間が長くならず間欠受信待ち受け時の消費電力が減って電池寿命を延ばすことができる。
【００６２】
（実施例４）
次に図６に基づいて多チャネル受信待ち受けにおける通信方法を説明する。
【００６３】
受信者は、複数ある（Ｎ個）通信チャネルを順次切換えて接続信号を探索して受信する多チャネル受信待ち受けを行い、接続信号内の部分識別符号と受信者の備える識別符号の一部分とが一致しないときに受信を中断し通信チャネルを切換えて接続信号の探索を行い、送信者は、複数（Ｎ個）の通信チャネルの中から１つの通信チャネルを選択し接続信号をＮ回以上繰り返し送出してからデータ信号を送信する。
【００６４】
（１）、（２）に送信者ＡとＢの動作を、（３）に送信者Ｂと通信すべき受信者Ｃの動作を示す。
【００６５】
送信者ＡとＢとからほぼ同時に送信信号が送信する。ここで送信者Ａは１チャネルで、送信者Ｂは２チャネルで送信する。
【００６６】
受信者Ｃは１チャネルと２チャネルとを交互に接続信号の受信待ち受けをする。自身宛ての信号がなければ受信を中断し通信チャネルを切換えて別の接続信号の探索を行う。
【００６７】
ここで受信者Ｃは（３）のように１チャネルで先に送信者Ａからの接続信号を受信する。本発明では接続信号を繰り返す毎に部分識別符号の抽出部分を変えるので、接続信号を何回か受信する途中で識別符号の不一致を判断し受信周波数を２チャネルに切り替える（受信中断）。すると送信者Ｂからの接続信号を受信し識別符号の一致を確認しながらデータ信号の終了まで受信（受信完了）できる。
【００６８】
なお、従来は自身の識別符号に似た識別符号が存在すると（４）のように送信者Ａからの送信信号をデータ信号の途中まで識別符号の不一致を判断できず、受信周波数を切り替えるタイミングが遅くて送信者Ｂからの接続信号を受信できなかった。
【００６９】
以上のように、本実施例では接続信号内の部分識別符号と自身の識別符号の一部分とが似ていても一致しないことを判断する時間が長くならず通信チャネルを切換える周期が早くなって通信相手からの送信信号の受信を確実にすることができる。
【００７０】
なお、受信者がＮチャネルを切換ながら多チャネル受信待ち受けを行うとき、１回の送信で確実に受信するために接続信号をＮ回以上繰り返す。
【００７１】
なお、実施例では識別符号として受信者を指定する受信者識別符号で説明したが、送信者を指定する送信者識別符号に部分識別符号を用いてもよい。あるいは送信者と受信者とに共通の識別符号であってもよい。また識別符号を１２桁、部分識別符号を４桁として説明したがこれに限るものではない。識別符号の桁数が多いほど、また部分識別符号の桁数が少ないほど効果がある。
【００７２】
【発明の効果】
以上の説明から明らかなように本発明の通信方法によれば、通信相手でない受信装置で識別符号が異なることを判断するまでの時間を短くすることが可能となる。
【００７４】
従来は自身のものと似た識別符号では通信相手でない受信装置で識別符号が異なることを判断するまでの時間が長くなることがあったが、このときでも部分識別符号の効果を発揮させることができる。
【００７６】
接続信号を繰り返す毎に部分識別符号の抽出部分が変わるので、自身の識別符号に似た識別符号が存在しても受信装置は接続信号を繰り返し受信する途中で識別でき受信を中断することができる。
【００７８】
受信装置は送信回数値によって部分識別符号の抽出位置がわかるので接続信号の途中から受信しても確実に識別符号を比較することができる。
【００７９】
受信装置は位置特定符号によって部分識別符号の抽出位置がわかるので送信装置が抽出位置を自在に変更しても受信装置は確実に識別符号を比較することができる。
【００８０】
繰り返し送信する接続信号を受信する途中で識別符号全体がわかるので、自身の識別符号に似た識別符号が存在しても受信装置は接続信号を繰り返し受信する途中で確実に識別でき受信を中断することができる。
【００８２】
部分識別符号の抽出部分をランダムに変更するので受信装置は接続信号を受信する途中で特定の識別符号の受信中断が常に遅れるということをなくすことができる。
【図面の簡単な説明】
【図１】本発明の実施例１の通信方法における無線送受信装置のブロック図
【図２】同装置における通信電文フォーマットを示す図
【図３】同装置における送信者と受信者の動作を説明する図
【図４】本発明の実施例２の通信方法における通信電文フォーマットを示す図
【図５】本発明の実施例３の通信方法における送信者と受信者の動作を説明する図
【図６】本発明の実施例４の通信方法における送信者と受信者の動作を説明する図
【図７】従来の通信方法における通信電文フォーマットを示す図
【図８】同方法の送信者と受信者の動作を説明する図
【符号の説明】
１  無線アンテナ
２  無線信号
３  受信手段
４  受信回路制御手段
５  送信手段
６  送信回路制御手段
７  通信制御手段
８  識別符号記憶手段
９  識別符号抽出手段
１０  識別符号比較手段
１１  位置特定符号検知手段
１２  部分識別符号比較手段
【図１】
0004207278.tif 000003
【図２】
0004207278.tif 000004
【図３】
0004207278.tif 000005
【図４】
0004207278.tif 000006
【図５】
0004207278.tif 000007
【図６】
0004207278.tif 000008
【図７】
0004207278.tif 000009
【図８】
0004207278.tif 000010